(57)【特許請求の範囲】
【請求項１】
ＬＣプラグを装脱自在に取付け可能の光ファイバ送受信機モジュール（１０５）をケージ（１１０）内に解放可能に収納した光ファイバ送受信機モジュール装置において、
両側に開口部（２０５）を有する前記光ファイバ送受信機モジュール（１０５）と、
前記送受信機モジュール（１０５）上に回転可能に取り付けられるベール（１１５）であって、Ｕ字形フランジ（５３０）を一体的に形成された前記ベール（１１５）と、
後方に延在する一対のアーム（５１０）と前記各アームの後方に設けられたくさび状要素（５２０）と一対のカムスロット（５４０）と一対の水平スロット（５１５）とを含むアーム組立体（５０５）であって、前記送受信機モジュール（１０５）に対して前後方向へ所定距離だけ摺動自在に取付けられた前記アーム組立体（５０５）と、
前記送受信機モジュール（１０５）を前後方向移動自在に受容する前記ケージ（１１０）であって、当該ケージ（１１０）は、その両側部に前記開口部（２０５）に係合可能の一対の係止タブ（１３０）を含み、前記ケージ（１１０）はプリント回路基板上に取り付けられる、前記ケージ（１１０）とを備えており、
前記ベール（１１５）は、軸（１３５）によって前記送受信機モジュール（１０５）上に回転可能に取り付けられ、前記軸（１３５）は、前記アーム組立体（５０５）の水平スロット（５１５）を貫通しており、前記Ｕ字形フランジ（５３０）は、前記アーム組立体（５０５）の前記カムスロット（５４０）の縁部の内側表面および外側表面の両方を取り囲み、
前記ベール（１１５）が上方へ回転された固定位置にあるときは、前記Ｕ字形フランジ（５３０）及び前記アーム組立体（５０５）のカムスロット（５４０）の係合に起因して係止タブ（１３０）が前記開口部（２０５）に係合することにより、前記アーム組立体（５０５）は前記送受信機モジュール（１０５）に対する摺動経路内で最後部位置にあり、しかも前記ケージ（１１０）の前記係止タブ（１３０）は、前記送受信機モジュール（１０５）の前記開口部（２０５）を介して前記アーム（５１０）のくさび状要素（５２０）に係合して、前記送受信機モジュール（１０５）を前記ケージ（１１０）内の後方移動位置に固定しており、このとき前記ＬＣプラグは送受信機モジュール（１０５）に取り外し可能に係合固定されており、
また前記ＬＣプラグが前記送受信機モジュール（１０５）から取り外された後に、前記ベール（１１５）が前記固定位置から下方向且つ前方の解放位置まで回転されるときは、前記Ｕ字形フランジ（５３０）が、前記カムスロット（５４０）内を移動して該カムスロット（５４０）の端部に当接して、それ以後前記ベール（１１５）が前方の解放位置まで回転するに連動して前記アーム組立体（５０５）が前方位置まで所定距離だけ摺動され、しかも前記ベール（１１５）が前記解放位置まで回転する間に、前記アームの前記くさび状要素（５２０）が前記ケージ（１１０）の前記係止タブ（１３０）に接触してこれを前記送受信機モジュール（１０５）の摺動経路の外側まで押圧することにより、前記送受信機モジュール（１０５）を前記ケージ（１１０）内の前記後方移動位置から前方へ引き出して取り外すことを可能にする、前記装置。
【請求項２】
請求項１に記載の装置において、前記くさび状要素（５２０）は、それぞれが角度付きまたは弧状の表面（５２５）を備える、前記装置。
【請求項３】
請求項１に記載の装置において、前記ベール（１１５）は、前記ベール（１１５）の主要部分から突出するタブ（５３５）を含み、当該タブ（５３５）は、係合スロット（５４５）を有し、当該係合スロット（５４５）は、前記アーム組立体（５０５）から突出するボス（５５０）に係合して、前記ベール（１１５）を前記固定位置に固定する、前記装置。
【請求項４】
請求項１に記載の装置において、前記カムスロット（５４０）は第1及び第２段のカム経路（５５５、５６０）を有する偏心カムスロットであり、前記ベール（１１５）は、前記軸（１３５）が前記スロット（５１５）内を動き、前記Ｕ字形フランジ（５３０）が前記偏心カムスロット（５４０）の前記第１の段のカム経路（５５５）を通って動くとき、前記ベール（１１５）は、前記送受信機モジュール（１０５）を前記後方移動位置から動かすことなく、前記固定位置から約４５度の弧にわたって回転し、前記ベール（１１５）は、さらに回転して、前記Ｕ字形フランジ（５３０）を前記偏心カムスロット（５４０）の前記第２の段のカム経路（５６０）を通して動かす、前記装置。
【請求項５】
請求項１に記載の装置において、前記ベール（１１５）が前記固定位置から約４５度の弧にわたって動くとき、前記送受信機モジュール（１０５）は前記後方移動位置から動かすことなく、前記送受信機モジュール（１０５）のプラグベイ（１４０）が前記ＬＣプラグに取付けられている限り、前記ベール（１１５）は、前記４５度の弧を完成することができない、前記装置。
【発明の詳細な説明】
【技術分野】
【０００１】
[0001]本発明は、一般には、電子コネクタ装置に関する。より具体的には、本発明は、光ファイバ送受信機モジュール装置及びその製造方法である。
【背景技術】
【０００２】
[0002]コンピュータ、関連する周辺機器、ならびに衛星および通信システムは、近年、極めて急速に発達してきた。これらのシステムは、デジタル信号処理、画像解析、および通信などの処理を推進する極めて複雑なタスクを実行するために、絶え間なく増大するデータ転送速度を要求する。現行の要求と共に、コンピュータ間、１つのコンピュータ内の２つの回路基板間、および単一のプリント回路基板上の複数チップ間でも、短いまたは長い距離にわたって信号を転送するのに、光カプラが使用される。電気相互接続の代わりに高速光信号を使用することは、達成可能なデータ転送速度を増大させる。
【０００３】
[0003]光送信機／受信機モジュールは、通常、垂直キャビティ面発光レーザ（ＶＣＳＥＬ）などの発光素子およびフォトダイオードなどの光検出素子の両方を含む。通常は特定用途向集積回路（ＡＳＩＣ）チップの形態のドライバ／レシーバ回路モジュールは、１つの素子から電気信号を受け取り、それに応答してＶＣＳＥＬを駆動するドライバ回路を含む。ＡＳＩＣは、フォトダイオードから信号を受け取り、それに応答して、それらの信号を処理して適当な出力にするレシーバ回路も含む。ＶＣＳＥＬ、フォトダイオード、およびＡＳＩＣ回路の組合せは、一般に、光送受信機と呼ばれる。
【０００４】
[0004]光アレイの密度が増大するとき、光ファイバケーブルをアレイに結合することは、一層複雑な作業になる。それぞれの放射体および検出器の作動領域を光ファイバ束の対応するファイバに合わせることは極めて重要である。したがって、それに対応して、機械的接続手段の重要性が増大する。したがって、光ファイバコネクタは、現行の技術においては極めて興味深いものである。したがって、そのようなコネクタの信頼性の向上および製造の容易性が、常に待ち望まれる。
【０００５】
[0005]本発明の興味深い応用例において、局所コネクタ（ＬＣ）プラグは、プリント回路基板（ＰＣＢ）に長期間にわたり取り付けられるケージ内に収納される光ファイバ送受信機モジュール内の室の対の中に受容される。コネクタ手段がデータ送信または受信中にＬＣプラグを所定の位置で保持することは、データ整合性のために必須である。利用者がケージから送受信機モジュールを取り外したいとき、ＬＣプラグが使用中か否かを知ることができることが同様に重要である。
【先行技術文献】
【特許文献】
【０００６】
【特許文献１】特開２００６−２７６４６８号公報（本出願人による関連出願）
【発明の概要】
【課題を解決するための手段】
【０００７】
[0006]本発明の例示的な実施形態は、送受信機モジュール用の解放機構を開示する。この機構は、送受信機モジュール上に回転可能に取り付けられるベールを含むことができる。ベールがアーム組立体または送受信機モジュールから分離しやすくならないように、ベールは、アーム組立体を部分的に取り囲むＵ字形フランジを含むことができる。アーム組立体は、本体をベール内に入れ子式に収容することができ、後方に延在する複数のアームの一対をさらに含むことができる。複数のアームは、それらの遠位端部において、くさび状要素を含むことができ、くさび状要素は、角度が付けられて傾斜したまたは弧状の表面を含むことができる。
【０００８】
[0007]送受信機モジュールは、プリント回路基板に取り付けられるケージ内に受容されるように、構築することができる。ケージは、送受信機モジュールの開口部に収まり、このモジュールをケージ内に固定する両側面パネル内の複数の係止タブを含むことができる。
【０００９】
[0008]送受信機をモジュールから解放するために、ベールは、２段の進行経路内を動くことができる。第１に、軸がアーム組立体内のスロット内を動き、Ｕ字形フランジが偏心カムスロットの第１の段を通って動くとき、ベールは、送受信機モジュールを取付位置から動かすことなく、固定位置から約４５度の弧にわたって回転することができる。次に、ベールは、さらに回転して、Ｕ字形フランジを偏心カムスロットの第２の段を通して動かすことができる。送受信機モジュールのプラグベイがプラグに使用される（占められる）限り、ベールは、その回転を完成することができる可能性はないことに留意されたい。
【００１０】
[0009]本発明の別の実施形態は、送受信機モジュールをケージ内に解放可能に固定する方法を含む。そのような方法は、以下の、両側面内に係止タブを備えるケージを形成するステップと、送受信機モジュールがケージ内に挿入されるとき、係止タブを受容するためにその中に開口部を備える送受信機モジュールを形成するステップと、後方に延在する複数のアームの一対を有するアーム組立体を設けるステップであって、アーム組立体の本体がベール内に入れ子式に受容されるステップと、送受信機モジュールの先端部上にベールを回転可能に取り付け、ベールがアーム組立体の内側表面および外側表面を少なくとも部分的に取り囲むＵ字形フランジを含むステップと、最初の弧にわたってベールを回転させ、ベールを固定位置から解放するステップと、ベールをさらに回転させ、係止タブを開口部から解放するステップとを含むことができる。
【図面の簡単な説明】
【００１１】
【図１】[0010]本発明の実施形態による、解放機構を備え、ケージ内に取り付けられる送受信機モジュールの斜視図である。
【図２】[0011]ケージから取り外され、固定位置にあるベールを備える送受信機モジュールの斜視図である。
【図３】[0012]解放位置にあるベールを備える送受信機モジュールの斜視図である。
【図４】[0013]解放位置にあるベールを備える送受信機モジュールの側面図である。
【図５】[0014]ベールおよびアーム組立体の斜視図である。
【図６】[0015]ベールの斜視図である。
【発明を実施するための形態】
【００１２】
[0016]本発明の例示的な実施形態は、図１〜６に図示される光ファイバ送受信機解放機構を開示する。この解放機構は、通常は長期間にわたりプリント回路基板（図示せず）上に取り付けられるケージ１１０内に受容することができる送受信機モジュール１０５上で使用することができる。解放機構は、ハンドル１２０及びその両側の１対のタブ５３５を備えたベール（枠部材）１１５（図５及び図６参照）を含むことができる。ベール１１５のハンドル１２０は、利用者がハンドル１２０を容易に把持する手段を提供するために都合良く形成される、指用プレート１２５を含むことができる。
【００１３】
[0017]送受信機モジュール１０５は、ケージ１１０の側板の一部分として形成される複数の係止タブ１３０の一対によってケージ１１０内の所定の位置に保持することができる。複数の係止タブ１３０は、送受信機モジュール１０５がケージ１１０内に挿入されるとき、送受信機モジュール１０５に接触するように、ケージの内側に突出することができる。複数の係止タブ１３０は、送受信機モジュール１０５がケージ１１０内に完全に挿入されるとき、送受信機モジュールハウジング２１０の両側面内に画定される複数の開口部２０５内に受容することができる。
【００１４】
[0018]送受信機モジュール１０５がケージ１１０内に挿入されるとき、送受信機モジュールハウジング２１０の平面セグメント２１５は、複数の係止タブ１３０に接触し、送受信機モジュール１０５がケージ１１０内で摺動できるように、複数の係止タブ１３０を外側に押す。送受信機モジュール１０５がケージ１１０内の適当な位置にあるとき、複数の係止タブ１３０は、モジュールハウジング２１０のそれぞれの側面上の複数の開口部２０５内へ跳ね返る（弾性的に戻される）。したがって、送受信機モジュール１０５は、複数の係止タブ１３０が解放されるまで、ケージ１１０から取り外すことができない。
【００１５】
[0019] 図５は、ベール１１５およびアーム組立体５０５の構造の実施形態を図示する。ベール１１５は、複数の拡張アーム５１０の一対を含むアーム組立体５０５と共にモジュールハウジング２１０上に取り付けることができる。ベール１１５は、アーム組立体５０５内の水平スロット５１５を貫通する軸１３５（図１および２を参照）によって、送受信機モジュールハウジング２１０に回転可能に取り付けることができる。
【００１６】
[0020]複数のくさび状要素５２０は複数のアーム５１０の後端部にあり、複数のくさび状要素５２０は、角度付きまたは弧状の表面５２５をそれぞれが含むことができる。解放機構が動かされるとき、角度付きまたは弧状の表面５２５によって、複数のくさび状要素５２０は、複数の係止タブ１３０を固定位置から、ケージ１１０内の送受信機モジュール１０５の経路の外側に動かす（押し出す）ことが可能になる。
【００１７】
[0021]ベール１１５は、Ｕ字形フランジ５３０（図６参照）を含むことができ、Ｕ字形フランジは、アーム組立体５０５内に形成される偏心カムスロット５４０内に受容される。Ｕ字形フランジ５３０は、そのフランジ５３０がアーム組立体５０５のカムスロット５４０の内縁の内側表面および外側表面の両方に接触するように、（カムスロット５４０を通して）アーム組立体５０５に巻き付く（の周りをくるむ）ことができる。フランジ５３０のＵ字形構造は、アーム組立体５０５を取り囲むことによって、ベール１１５がアーム組立体５０５および送受信機モジュール１０５から分離することを抑止する。
【００１８】
[0022]ベール１１５は、上記の如く一対のタブ５３５を備えて構築することができ、一対のタブ５３５は、ベール１１５の本体の両側面の後方部分から延在し且つその上部に一対の係合スロット５４５を有する。図１および２に図示される固定位置にベール１１５を固定するために、アーム組立体５０５から突出する一対のボス５５０（図５参照）を夫々、一対の係合スロット５４５内に係合的に受容することができる。
【００１９】
[0023]ベール１１５は、解放過程の間に２段の進行経路を有する。解放を開始するのに、利用者は、ハンドル１２０を使用してベール１１５を回転させる。ベール１１５が前方に回転開始するとき、ベール１１５のタブ５３５の凸部５３５ａ（図５及び図６参照）はボス５５０を乗り越えて該ボス５５０から取り外され、その固定位置からベール１１５を解放する。ベールが、約４５度の弧にわたって回転するとき、Ｕ字形フランジ５３０は、カムスロット５４０の第１段のカム経路５５５を通って動く。
【００２０】
[0024]ベール１１５が４５度を過ぎて回転するとき、Ｕ字形フランジ５３０は、カムスロット５４０の第２段のカム経路５６０内に移動する。次に、Ｕ字形フランジ５３０は、カムスロット５４０の第２段のカム経路５６０の先端部に接触し、これにより、これ以後アーム組立体５０５が送受信機モジュール１０５に対して所定距離だけ前方に引き出される。一対のアーム５１０がアーム組立体５０５と共に前方に動くとき、複数のくさび状要素５２０の角度付きまたは弧状の複数の表面５２５は、ケージ１１０の複数の係止タブ１３０を外側方へ押圧する。複数のくさび状要素５２０の前方運動は、複数の係止タブ１３０をケージ１１０の内側から外側に促す。アーム組立体５０５は、水平スロット５１５の後端部が軸１３５に接触するまで、前方に動くことができる。この時点で、一対のアーム５１０は、十分に前方に動かされ、複数のくさび状要素５２０の角度付きまたは弧状の複数の表面５２５が、係止タブ１３０を外側方へ動かして、これによりケージ１１０の内側から送受信機モジュール１０５を取り外し可能状態にさせる。したがって、送受信機モジュール１０５は、操作者がベール１１５を引き続けるとき、ケージ１１０から前方外側に自由に摺動する。ここで、ベール１１５は、図３および４に示される解放位置にあり、送受信機モジュール１０５をケージ１１０から引き出して解放可能である。
【００２１】
[0025]取り付けられたいずれかのＬＣプラグ（図示せず）が送受信機モジュール１０５のプラグベイ１４０から取り外されない限り、ベール１１５は、送受信機モジュール１０５を解放するのに必要な回転を完成することができないことに留意されたい。この特徴は、ＬＣプラグが所定の位置にある間には、送受信機モジュール１０５をケージ１１０から確実に取り外すことができないようにする二重安全の方法をもたらし、それによって、不慮のデータ送信中断を回避する。
【００２２】
[0026]本明細書で説明する実施形態は、本発明の実例となるものである。本発明のこれらの実施形態は、図を参照して説明されるので、説明される方法および／または特定の構造の様々な変更あるいは改造は、本明細書の説明および図を踏まえれば、当業者には明らかであろう。本発明の教示に依存し、またこれらの教示が技術を進歩させる全ての変更、改造、または変形は、本発明の趣旨および範囲内にあると見なされる。それ故に、本発明は、説明される実施形態のみには決して限定されないことがわかるので、これらの説明および図面は、限定的な意味にとられるべきでない。
【符号の説明】
【００２３】
１０５ 送受信機モジュール
１１０ ケージ
１１５ ベール
１２０ ハンドル
１３０係止タブ
１３５ 軸
１４０ プラグベイ
２０５ 開口部
２１０ 送受信機モジュールハウジング
５０５ アーム組立体
５１０ アーム
５１５ 水平スロット
５２０ くさび状要素
５２５ 角度付きまたは弧状の表面
５３０ Ｕ字形フランジ
５３５ タブ
５４０ 偏心カムスロット
５４５ 係合スロット
５５０ ボス
５５５ カムスロットの第１段のカム経路（第１のステージ）
５６０ カムスロットの第２段のカム経路（第２のステージ）
【図１】
0005893828.tif 000002
【図２】
0005893828.tif 000003
【図３】
0005893828.tif 000004
【図４】
0005893828.tif 000005
【図５】
0005893828.tif 000006
【図６】
0005893828.tif 000007